(57)【要約】【課題】ヘッドモジュール間の隙間への液体の入り込みを防止する。【解決手段】液体を吐出する複数のノズルが配置されたノズル面７２Ａを有するヘッドモジュール７２−ｉを複数連続して繋ぎ合わせた液体吐出ヘッドであって、ヘッドモジュール７２−ｉのつなぎ部の側面２０２は、撥水材料を含む溶液から形成された撥水膜２０４を有し、側面２０２のノズル面側端部には、ノズル面７２Ａに沿って溝２０６を有する液体吐出ヘッドおよび液体吐出ヘッドの製造方法である。【選択図】図６
2014069419.tif 000002
【特許請求の範囲】
【請求項１】
液体を吐出する複数のノズルが配置されたノズル面を有するヘッドモジュールを複数連続して繋ぎ合わせた液体吐出ヘッドであって、
前記ヘッドモジュールのつなぎ部の側面は、撥水材料を含む溶液から形成された撥水膜を有し、
前記側面のノズル面側端部には、前記ノズル面に沿って溝を有する液体吐出ヘッド。
【請求項２】
前記ヘッドモジュールの側面は、さらに、少なくとも１つ以上の排出溝を有する請求項１に記載の液体吐出ヘッド。
【請求項３】
前記撥水膜は、膜厚が５０μｍ以下である請求項１または２に記載の液体吐出ヘッド。
【請求項４】
前記撥水膜の表面粗さＲａが１０ｎｍ以下である請求項１から３のいずれか１項に記載の液体吐出ヘッド。
【請求項５】
前記溝から前記ノズル面までの距離が１ｍｍ以下である請求項１から４のいずれか１項に記載の液体吐出ヘッド。
【請求項６】
前記ヘッドモジュール間の隙間が２００μｍ以下である請求項１から５のいずれか１項に記載の液体吐出ヘッド。
【請求項７】
前記溝は前記ノズル面に平行に設けられている請求項１から６のいずれか１項に記載の液体吐出ヘッド。
【請求項８】
前記溝の少なくとも一方の端部は、溝方向に開放された切り欠き形状となっている請求項１から７のいずれか１項に記載の液体吐出ヘッド。
【請求項９】
液体を吐出する複数のノズルが配置されたノズル面を有するヘッドモジュールを複数連続して繋ぎ合わせた液体吐出ヘッドの製造方法であって、
前記ヘッドモジュールの側面のノズル面側に溝が設けられ、前記ヘッドモジュールの側面に撥水材料を塗布する撥水材料塗布工程と、
塗布された前記撥水材料の厚みの均一化、および、余剰の前記撥水材料を前記溝に流す膜厚均一化工程と、
前記撥水材料を乾燥し撥水膜を形成する撥水膜形成工程と、を有する液体吐出ヘッドの製造方法。
【請求項１０】
前記撥水材料の粘度が１ｍＰａ・ｓ以上１００ｍＰａ・ｓ以下である請求項９に記載の液体吐出ヘッドの製造方法。
【請求項１１】
前記ヘッドモジュールの側面に、さらに、少なくとも１つ以上の排出溝を有する請求項９または１０に記載の液体吐出ヘッドの製造方法。
【発明の詳細な説明】
【技術分野】
【０００１】
本発明は液体吐出ヘッドおよび液体吐出ヘッドの製造方法に係り、特に、複数のヘッドモジュールを繋ぎ合わせて形成される液体吐出ヘッドおよび液体吐出ヘッドの製造方法に関する。
【背景技術】
【０００２】
液体吐出ヘッドにより高速印字を実現するためには、複数のヘッドモジュールを繋ぎ合わせたラインヘッドによる１パススキャン方式を採用する必要がある。このラインヘッドを低コストで実用するためには、個々のヘッドモジュールを交換可能な構成にすることが必要となる。これにより例えば１個のモジュールが不良を生じた場合ラインヘッド全体を交換することなく、対象モジュールのみを交換することで低いメンテナンスコストを実現することができる。
【０００３】
個々のヘッドモジュールを交換可能な構成とすると、個々のヘッドモジュール間を封止固定したり、穴埋めすることができないため、おのずとヘッドモジュール間に隙間が生じる。ヘッドモジュール間に隙間が生じると、印字の際、ノズルから吐出したインクミストなどが隙間に入り込んだり、メンテナンス時にノズル面をワイプすることで、ノズル面のインクが隙間に押し込まれたりする。隙間に入り込んだインクは、液状の場合、インク垂れの原因となり、印字中に記録媒体を汚す原因となっている。また、インクが乾燥増粘固化した場合は、メンテナンス時に掻き出してノズルを詰まらせる原因となる。したがって、ヘッドモジュール間の隙間内部にインクが入り込まない構成とすることが望まれている。
【０００４】
例えば、下記の特許文献１には、隣り合う液体吐出ヘッドの側面に溝を設け、液体吐出ヘッド間の間隙に液体やミストが入り込んだ場合、溝で捕捉することが記載されている。特許文献２には、記録ヘッドの側面に、インクを導入、保持する溝を設けることが記載されている。
【０００５】
また、特許文献３には、インクジェット印刷ヘッドの前部または後部に、毛管現象にインクを運ぶ複数のスリットが列設されたインク吸収体を備えることが記載されている。特許文献４には、インクジェット記録ヘッドユニット間に突起構造部を設け、突起構造部を親水性とし毛管力によりインクを回収し、突起構造部以外を撥液性とすることが記載されている。
【先行技術文献】
【特許文献】
【０００６】
【特許文献１】特開２０１２−４５７５１号公報
【特許文献２】特開２００９−８３２１５号公報
【特許文献３】特許３９３７２０７号公報
【特許文献４】特開２００８−６２３８９号公報
【発明の概要】
【発明が解決しようとする課題】
【０００７】
特許文献１〜４に記載されているヘッドは、隙間に入り込んだインク、または、溝や吸収体によりインクを吸い上げてインクの除去を行っている。そのため、インクが乾燥固化した場合に、メンテナンス時にワイプで掻き出されノズルが詰まるという問題は解消されていなかった。
【０００８】
また、隙間にインクを吸い上げるため、ヘッドモジュール間には、ある程度の距離が必要であった。しかしながら、ヘッドモジュール間の隙間が大きいとラインヘッドにおける印字抜けの原因となるため、隙間部を補正するように、ノズル配置を平行四辺形にする、ヘッドモジュールの配置を千鳥配置とすることが行われている。しかしながら、千鳥配置とした場合は、ラインヘッドの記録媒体の紙送り方向の幅が大きくなるので、システムの大型化に繋がっていた。
【０００９】
このように、ヘッドモジュール間の隙間は狭くする必要があるが、ヘッドモジュール間の隙間を狭くするためには、ヘッドモジュール側面に厚塗り表面処理を行うことができなかった。特に、高画質な高密度ノズルを有するヘッドにおいては、モジュール間の間隔が狭いため、表面処理により形成される膜厚にも制限があった。
【００１０】
本発明はこのような事情に鑑みてなされたものであり、ヘッドモジュール間の隙間への液体の入り込みを防止することができる液体吐出ヘッド、および、ヘッドモジュール間の隙間を小さくするための設計、安定化を実施できる液体吐出ヘッドの製造方法を提供することを目的とする。
【課題を解決するための手段】
【００１１】
本発明は前記目的を達成するために、液体を吐出する複数のノズルが配置されたノズル面を有するヘッドモジュールを複数連続して繋ぎ合わせた液体吐出ヘッドであって、ヘッドモジュールのつなぎ部の側面は、撥水材料を含む溶液から形成された撥水膜を有し、側面のノズル面側端部には、ノズル面に沿って溝を有する液体吐出ヘッドを提供する。
【００１２】
本発明によれば、ヘッドモジュールを複数繋ぎ合わせた液体吐出ヘッドの、各ヘッドモジュールのつなぎぶ側面は撥水膜を有しているので、このヘッドモジュール同士の隙間に液体が入り込むことを防止することができる。したがって、ヘッドモジュール同士の隙間から液体が垂れ流れたり、隙間に入った液体が乾燥し、固まった固形物がワイプ時などに出てきてノズル詰まりを起こすことを防止することができる。
【００１３】
また、撥水膜を形成する際、側面のノズル面側端部に溝を設けているので、撥水材料を含む溶液がノズル面に流れ出ることを防止することができる。したがって、ノズル面に流れ出た場合に乾燥固化した撥水材料がワイプ時に剥離し、ノズル詰まりを起こすことを防止することができる。
【００１４】
本発明の他の態様に係る液体吐出ヘッドは、ヘッドモジュールの側面は、さらに、少なくとも１つ以上の排出溝を有することが好ましい。
【００１５】
本発明の他の態様に係る液体吐出ヘッドによれば、ヘッドモジュールの側面、すなわち、撥水処理を施す面に少なくとも１つ以上の排出溝を備えているので、撥水処理時に余剰の撥水材料を排出溝に流すことができるので、均一の厚みで撥水処理を行うことができる。
【００１６】
本発明の他の態様に係る液体吐出ヘッドは、撥水膜は、膜厚が５０μｍ以下であることが好ましい。
【００１７】
本発明の他の態様に係る液体吐出ヘッドは、撥水膜の膜厚が５０μｍ以下としているので、繋ぎ合わせたヘッドモジュール同士の隙間を短くすることができる。したがって、液体の隙間への入り込みを防止することができるとともに、印字の際のヘッドモジュール間の隙間の補正も少なくて良いので、システム全体が大型化することを防止することができ
る。
【００１８】
本発明の他の態様に係る液体吐出ヘッドは、撥水膜の表面粗さＲａが１０ｎｍ以下であることが好ましい。
【００１９】
本発明の他の態様に係る液体吐出ヘッドによれば、撥水膜の表面粗さＲａが１０ｎｍ以下であるので、撥水性の良好な膜を形成することができる。また、撥水膜の表面粗さＲａを上記範囲とすることにより、例えば、霧状の液体などが、ヘッドモジュール間の隙間に入り込んだとしても、表面粗さが低いので、動的撥水性（滑落性）を向上させることができるので、撥水膜上の液体を流れ易くすることができる。したがって、ヘッドモジュール間に液体が入り込むことを防止することができる。
【００２０】
本発明の他の態様に係る液体吐出ヘッドは、溝からノズル面までの距離が１ｍｍ以下であることが好ましい。
【００２１】
本発明の他の態様に係る液体吐出ヘッドによれば、溝からノズル面までの距離を１ｍｍ以下とすることにより、ヘッドモジュール間の隙間に液体が入り込むことを防止することができる。溝は、撥水膜を形成する際に、撥水材料がノズル面に流れ込むことを防止するために、形成されている。ノズル面との端部から溝までは撥水膜が形成されていないが溝とノズル面の端部との距離を１ｍｍ以内と狭くすることにより、例え、液体が隙間に入り込んだとしても液体の量を減らすことができるので、液体が集まり液体の粒子が大きくなり、自重で液体が垂れ落ちることを防止することができる。
【００２２】
本発明の他の態様に係る液体吐出ヘッドは、ヘッドモジュール間の隙間が２００μｍ以下であることが好ましい。
【００２３】
本発明の他の態様に係る液体吐出ヘッドは、ヘッドモジュール間の隙間を２００μｍ以下としているので、ヘッドモジュール間の隙間への液体の入り込みを防止し、印字の際の隙間の補正も少なくて済むので、システムが大型になるのを防止することができる。また、本発明においては、撥水膜の膜厚を薄くすることができるので、ヘッドモジュール間の隙間を２００μｍ以下とすることができる。
【００２４】
本発明の他の態様に係る液体吐出ヘッドは、溝はノズル面に平行に設けられていることが好ましい。
【００２５】
本発明の他の態様に係る液体吐出ヘッドによれば、溝をノズル面と平行に設けているため、撥水膜の成膜時に、溝に撥水材料を流し易くすることができ、撥水膜を均一に成膜することができる。
【００２６】
本発明の他の態様に係る液体吐出ヘッド、溝の少なくとも一方の端部は、溝方向に開放された切り欠き形状となっていることが好ましい。
【００２７】
本発明の他の態様に係る液体吐出ヘッドによれば、溝の少なくとも一方の端部は、切り欠き形状となっているので、撥水膜の成膜時に、溝に流れ込んだ余剰の撥水材料を溝から溢れることなく流すことができる。
【００２８】
本発明は前記目的を達成するために、液体を吐出する複数のノズルが配置されたノズル面を有するヘッドモジュールを複数連続して繋ぎ合わせた液体吐出ヘッドの製造方法であって、ヘッドモジュールの側面のノズル面側に溝が設けられ、ヘッドモジュールの側面に撥水材料を塗布する撥水材料塗布工程と、塗布された撥水材料の厚みの均一化、および、
余剰の撥水材料を溝に流す膜厚均一化工程と、撥水材料を乾燥し撥水膜を形成する撥水膜形成工程と、を有する液体吐出ヘッドの製造方法を提供する。
【００２９】
本発明によれば、撥水材料を塗布した後、撥水材料の膜厚の均一化を行っている。このとき、ヘッドモジュール側面には、余剰の撥水材料を流し出す溝を設けているので、この溝から余剰の撥水材料を流すことで、撥水材料の膜厚を均一にすることができる。また、撥水材料がノズル面に流れることを防止することができる。その後、乾燥を行い、撥水材料を固まらせることで、撥水膜を有する液体吐出ヘッドを形成することができる。
【００３０】
本発明の他の態様に係る液体吐出ヘッドの製造方法は、撥水材料の粘度が１ｍＰａ・ｓ以上１００ｍＰａ・ｓ以下であることが好ましい。
【００３１】
本発明の他の態様に係る液体吐出ヘッドの製造方法によれば、撥水材料の粘度を上記範囲とすることにより、撥水材料を濡れ広がりやすくすることができるので、膜厚の薄い撥水膜を均一に形成することができる。
【００３２】
本発明の他の態様に係る液体吐出ヘッドの製造方法は、ヘッドモジュールの側面に、さらに、少なくとも１つ以上の排出溝を有することが好ましい。
【００３３】
本発明の他の態様に係る液体吐出ヘッドの製造方法によれば、ヘッドモジュールの側面に排出溝を有しているので、撥水材料塗布工程で塗布した撥水材料の余剰分をこの排出溝から流し出すことができるので、より撥水膜を均一の膜とすることができる。
【発明の効果】
【００３４】
本発明の液体吐出ヘッドおよび液体吐出ヘッドの製造方法によれば、ヘッドモジュール側面に撥水処理が施されているので、ノズル面側から液体がヘッドモジュールの隙間に侵入することを防止することができる。また、ヘッドモジュール側面に溝を設けることで、撥水処理を施す際に、撥水材料の余剰分がノズル面側に流れることを防止することができる。また、余剰分を溝に流すことができるので、均一な厚さで撥水処理を行うことができる。したがって、ヘッドモジュールとの接触を防止し、撥水性が劣化することを防止することができる。
【図面の簡単な説明】
【００３５】
【図１】インクジェット記録装置の全体構成図である。
【図２】インクジェットヘッドの斜視図である。
【図３】図２に示すインクジェットヘッドの構成例を示す平面図である。
【図４】図３の一部拡大図である。
【図５】図３に示すヘッドモジュールの平面透視図である。
【図６】第１実施形態にかかるヘッドモジュールの側面図（ａ）および拡大図（ｂ）である。
【図７】第２実施形態にかかるヘッドモジュールの側面図（ａ）および拡大図（ｂ）である。
【図８】撥水材料の樹脂分濃度と平均膜厚の関係を示したグラフ図である。
【発明を実施するための形態】
【００３６】
以下、添付図面に従って本発明に係る液体吐出ヘッドおよび液体吐出ヘッドの製造方法の好ましい実施の形態について説明する。なお、以下では、液体吐出ヘッドの一例として、インクジェットヘッドについて説明する。また、このインクジェットヘッドを有するインクジェット記録装置について説明する。
【００３７】
≪インクジェット記録装置の全体構成≫
まず、インクジェット記録装置の全体構成について説明する。図１は、インクジェット記録装置の全体構成を示した構成図である。
【００３８】
このインクジェット記録装置１０は、描画部１６の圧胴（描画ドラム７０）に保持された記録媒体２４（便宜上「用紙」と呼ぶ場合がある。）にインクジェットヘッド７２Ｍ、７２Ｋ、７２Ｃ、７２Ｙから複数色のインクを打滴して所望のカラー画像を形成する圧胴直描方式のインクジェット記録装置であり、インクの打滴前に記録媒体２４上に処理液（ここでは凝集処理液）を付与し、処理液とインク液を反応させて記録媒体２４上に画像形成を行なう２液反応（凝集）方式が適用されたオンデマンドタイプの画像形成装置である。
【００３９】
図示のように、インクジェット記録装置１０は、主として、給紙部１２、処理液付与部１４、描画部１６、乾燥部１８、定着部２０、および排出部２２を備えて構成される。
【００４０】
（給紙部）
給紙部１２は、記録媒体２４を処理液付与部１４に供給する機構であり、当該給紙部１２には、枚葉紙である記録媒体２４が積層されている。給紙部１２には、給紙トレイ５０が設けられ、この給紙トレイ５０から記録媒体２４が一枚ずつ処理液付与部１４に給紙される。
【００４１】
本例のインクジェット記録装置１０では、記録媒体２４として、紙種や大きさ（用紙サイズ）の異なる複数種類の記録媒体２４を使用することができる。給紙部１２において各種の記録媒体をそれぞれ区別して集積する複数の用紙トレイ（不図示）を備え、これら複数の用紙トレイの中から給紙トレイ５０に送る用紙を自動で切り換える態様も可能であるし、必要に応じてオペレータが用紙トレイを選択し、若しくは交換する態様も可能である。なお、本例では、記録媒体２４として、枚葉紙（カット紙）を用いるが、連続用紙（ロール紙）から必要なサイズに切断して給紙する構成も可能である。
【００４２】
（処理液付与部）
処理液付与部１４は、記録媒体２４の記録面に処理液を付与する機構である。処理液は、描画部１６で付与されるインク中の色材（本例では顔料）を凝集させる色材凝集剤を含んでおり、この処理液とインクとが接触することによって、インクは色材と溶媒との分離が促進される。
【００４３】
図１に示すように、処理液付与部１４は、給紙胴５２、処理液ドラム５４、および処理液塗布装置５６を備えている。処理液ドラム５４は、記録媒体２４を保持し、回転搬送させるドラムである。処理液ドラム５４は、その外周面に爪形状の保持手段（グリッパー）５５を備え、この保持手段５５の爪と処理液ドラム５４の周面の間に記録媒体２４を挟み込むことによって記録媒体２４の先端を保持できるようになっている。処理液ドラム５４は、その外周面に吸着穴を設けるとともに、吸着穴から吸引を行なう吸引手段を接続してもよい。これにより記録媒体２４を処理液ドラム５４の周面に密着保持することができる。
【００４４】
処理液ドラム５４の外側には、その周面に対向して処理液塗布装置５６が設けられる。処理液塗布装置５６は、処理液が貯留された処理液容器と、この処理液容器の処理液に一部が浸漬されたアニックスローラと、アニックスローラと処理液ドラム５４上の記録媒体２４に圧接されて計量後の処理液を記録媒体２４に転移するゴムローラとで構成される。この処理液塗布装置５６によれば、処理液を計量しながら記録媒体２４に塗布することができる。
【００４５】
処理液付与部１４で処理液が付与された記録媒体２４は、処理液ドラム５４から中間搬送部２６を介して描画部１６の描画ドラム７０へ受け渡される。
【００４６】
（描画部）
描画部１６は、描画ドラム（第２の搬送体）７０、用紙抑えローラ７４、およびインクジェットヘッド７２Ｍ，７２Ｋ，７２Ｃ，７２Ｙを備えている。描画ドラム７０は、処理液ドラム５４と同様に、その外周面に爪形状の保持手段（グリッパー）７１を備える。描画ドラム７０に固定された記録媒体２４は、記録面が外側を向くようにして搬送され、この記録面にインクジェットヘッド７２Ｍ，７２Ｋ，７２Ｃ，７２Ｙからインクが付与される。
【００４７】
インクジェットヘッド７２Ｍ，７２Ｋ，７２Ｃ，７２Ｙはそれぞれ、記録媒体２４における画像形成領域の最大幅に対応する長さを有するフルライン型のインクジェット方式の記録ヘッド（インクジェットヘッド）とすることが好ましい。インク吐出面には、画像形成領域の全幅にわたってインク吐出用のノズルが複数配列されたノズル列が形成されている。各インクジェットヘッド７２Ｍ，７２Ｋ，７２Ｃ，７２Ｙは、記録媒体２４の搬送方向（描画ドラム７０の回転方向）と直交する方向に延在するように設置される。
【００４８】
描画ドラム７０上に密着保持された記録媒体２４の記録面に向かって各インクジェットヘッド７２Ｍ，７２Ｋ，７２Ｃ，７２Ｙから、対応する色インクの液滴が吐出されることにより、処理液付与部１４で予め記録面に付与された処理液にインクが接触し、インク中に分散する色材（顔料）が凝集され、色材凝集体が形成される。これにより、記録媒体２４上での色材流れなどが防止され、記録媒体２４の記録面に画像が形成される。
【００４９】
なお、本例では、ＣＭＹＫの標準色（４色）の構成を例示したが、インク色や色数の組合せについては本実施形態に限定されず、必要に応じて淡インク、濃インク、特別色インクを追加してもよい。例えば、ライトシアン、ライトマゼンタなどのライト系インクを吐出するインクジェットヘッドを追加する構成も可能であり、各色ヘッドの配置順序も特に限定はない。
【００５０】
描画部１６で画像が形成された記録媒体２４は、描画ドラム７０から中間搬送部２８を介して乾燥部１８の乾燥ドラム７６へ受け渡される。
【００５１】
（乾燥部）
乾燥部１８は、色材凝集作用により分離された溶媒に含まれる水分を乾燥させる機構であり、図１に示すように、乾燥ドラム７６、および溶媒乾燥装置７８を備えている。
【００５２】
乾燥ドラム７６は、処理液ドラム５４と同様に、その外周面に爪形状の保持手段（グリッパー）７７を備え、この保持手段７７によって記録媒体２４の先端を保持できるようになっている。
【００５３】
溶媒乾燥装置７８は、乾燥ドラム７６の外周面に対向する位置に配置され、複数のＩＲヒータ８２と、各ＩＲヒータ８２の間にそれぞれ配置された温風噴出しノズル８０とで構成される。
【００５４】
各温風噴出しノズル８０から記録媒体２４に向けて吹き付けられる温風の温度と風量、各ＩＲヒータ８２の温度を適宜調節することにより、様々な乾燥条件を実現することができる。
【００５５】
また、乾燥ドラム７６の表面温度は５０℃以上に設定されている。記録媒体２４の裏面から加熱を行なうことによって乾燥が促進され、定着時における画像破壊を防止することができる。なお、乾燥ドラム７６の表面温度の上限については、特に限定されるものではないが、乾燥ドラム７６の表面に付着したインクをクリーニングするなどのメンテナンス作業の安全性（高温による火傷防止）の観点から７５℃以下（より好ましくは６０℃以下）に設定されることが好ましい。
【００５６】
乾燥ドラム７６の外周面に、記録媒体２４の記録面が外側を向くように（即ち、記録媒体２４の記録面が凸側となるように湾曲させた状態で）保持し、回転搬送しながら乾燥することで、記録媒体２４のシワや浮きの発生を防止でき、これらに起因する乾燥ムラを確実に防止することができる。
【００５７】
乾燥部１８で乾燥処理が行なわれた記録媒体２４は、乾燥ドラム７６から中間搬送部３０を介して定着部２０の定着ドラム８４へ受け渡される。
【００５８】
（定着部）
定着部２０は、定着ドラム８４、ハロゲンヒータ８６、定着ローラ８８、およびインラインセンサ９０で構成される。定着ドラム８４は、処理液ドラム５４と同様に、その外周面に爪形状の保持手段（グリッパー）８５を備え、この保持手段８５によって記録媒体２４の先端を保持できるようになっている。
【００５９】
定着ドラム８４の回転により、記録媒体２４は記録面が外側を向くようにして搬送され、この記録面に対して、ハロゲンヒータ８６による予備加熱と、定着ローラ８８による定着処理と、インラインセンサ９０による検査が行なわれる。
【００６０】
ハロゲンヒータ８６は、所定の温度（例えば、１８０℃）に制御される。これにより、記録媒体２４の予備加熱が行なわれる。
【００６１】
定着ローラ８８は、乾燥させたインクを加熱加圧することによってインク中の自己分散性熱可塑性樹脂微粒子を溶着し、インクを皮膜化させるためのローラ部材であり、記録媒体２４を加熱加圧するように構成される。具体的には、定着ローラ８８は、定着ドラム８４に対して圧接するように配置されており、定着ドラム８４との間でニップローラを構成するようになっている。これにより、記録媒体２４は、定着ローラ８８と定着ドラム８４との間に挟まれ、所定のニップ圧（例えば、０．１５ＭＰａ）でニップされ、定着処理が行なわれる。
【００６２】
また、定着ローラ８８は、熱伝導性の良いアルミなどの金属パイプ内にハロゲンランプを組み込んだ加熱ローラによって構成され、所定の温度（たとえば６０〜８０℃）に制御される。この加熱ローラで記録媒体２４を加熱することによって、インクに含まれる熱可塑性樹脂微粒子のＴｇ温度（ガラス転移点温度）以上の熱エネルギーが付与され、熱可塑性樹脂微粒子が溶融される。これにより、記録媒体２４の凹凸に押し込み定着が行なわれるとともに、画像表面の凹凸がレベリングされ、光沢性が得られる。
【００６３】
なお、図１の実施形態では、定着ローラ８８を１つだけ設けた構成となっているが、画像層厚みや熱可塑性樹脂微粒子のＴｇ特性に応じて、複数段設けた構成でもよい。
【００６４】
一方、インラインセンサ９０は、記録媒体２４に定着された画像について、チェックパターンや水分量、表面温度、光沢度などを計測するための計測手段であり、ＣＣＤラインセンサなどが適用される。
【００６５】
上記の如く構成された定着部２０によれば、乾燥部１８で形成された薄層の画像層内の熱可塑性樹脂微粒子が定着ローラ８８によって加熱加圧されて溶融されるので、記録媒体２４に固定定着させることができる。また、定着ドラム８４の表面温度を５０℃以上に設定することで、定着ドラム８４の外周面に保持された記録媒体２４を裏面から加熱することによって乾燥が促進され、定着時における画像破壊を防止することができるとともに、画像温度の昇温効果によって画像強度を高めることができる。
【００６６】
また、インク中にＵＶ硬化性モノマーを含有させた場合は、乾燥部で水分を充分に揮発させた後に、ＵＶ照射ランプを備えた定着部で、画像にＵＶを照射することで、ＵＶ硬化性モノマーを硬化重合させ、画像強度を向上させることができる。
【００６７】
（排出部）
図１に示すように、定着部２０に続いて排出部２２が設けられている。排出部２２は、排出トレイ９２を備えており、この排出トレイ９２と定着部２０の定着ドラム８４との間に、これらに対接するように渡し胴９４、搬送ベルト９６、張架ローラ９８が設けられている。記録媒体２４は、渡し胴９４により搬送ベルト９６に送られ、排出トレイ９２に排出される。
【００６８】
また、図には示されていないが、本例のインクジェット記録装置１０には、上記構成の他、各インクジェットヘッド７２Ｍ，７２Ｋ，７２Ｃ，７２Ｙにインクを供給するインク貯蔵／装填部、処理液付与部１４に対して処理液を供給する手段を備えるとともに、各インクジェットヘッド７２Ｍ，７２Ｋ，７２Ｃ，７２Ｙのクリーニング（ノズル面のワイピング、パージ、ノズル吸引等）を行なうヘッドメンテナンス部や、用紙搬送路上における記録媒体２４の位置を検出する位置検出センサ、装置各部の温度を検出する温度センサなどを備えている。
【００６９】
〔インクジェットヘッドの構成〕
図２に、インクジェットヘッドの斜視図を示す。図２では、インクジェットヘッド７２の下方（斜め下方向）から吐出面を見上げた様子が図示されている。このインクジェットヘッド７２は、インクジェット記録装置の描画部に設置されるプリントヘッドであり、複数個のヘッドモジュール７２−ｉを用紙幅方向に並べて繋ぎ合わせて長尺化したフルライン型のバーヘッド（シングルパス印字方式のページワイドヘッド）となっている。ここでは１７個のヘッドモジュール７２−ｉを繋ぎ合わせた例を示しているが、モジュールの構成、モジュールの個数及び配列形態については、図示の例に限定されない。符号１０４は、複数のヘッドモジュール７２−ｉを固定するための枠体となるハウジング（バー状のラインヘッドを構成するためのハウジング）、符号１０６は、各ヘッドモジュール７２−ｉに接続されたフレキシブル基板である。
【００７０】
図３は、ヘッド７２の構造例を示す平面図であり、ヘッド７２をノズル面７２Ａ側から見た図である。また、図４は図３の一部拡大図である。
【００７１】
図３に示すように、ヘッド７２はｎ個のヘッドモジュール７２−ｉ（ｉ＝１，２，３，…，ｎ）を長手方向（記録媒体２４（図１参照）の搬送方向と直交する方向）に沿ってつなぎ合わせた構造を有し、記録媒体の全幅に対応する長さにわたって複数のノズル（図３中不図示）が設けられている。
【００７２】
各ヘッドモジュール７２−ｉは、ヘッド７２における短手方向の両側からヘッドモジュール支持部材７２Ｂによって支持されている。また、ヘッド７２の長手方向における両端部はヘッド支持部材７２Ｄによって支持されている。
【００７３】
図４に示すように、各ヘッドモジュール７２−ｉ（ｎ番目のヘッドモジュール７２−ｎ）は、複数のノズルがマトリクス状に配列された構造を有している。図４において符号１５１Ａを付して図示した斜めの実線は、複数のノズルが一列に並べられたノズル列を表している。
【００７４】
図５（ａ）は、ヘッドモジュール７２−ｉの平面透視図であり、図５（ｂ）はその一部の拡大図である。
【００７５】
記録媒体２４上に形成されるドットピッチを高密度化するためには、ヘッド７２におけるノズルピッチを高密度化する必要がある。本例のヘッドモジュール７２−ｉは、図５（ａ）、（ｂ）に示すように、インク吐出口であるノズル１５１と、各ノズル１５１に対応する圧力室１５２等からなる複数のインク室ユニット（記録素子単位としての液滴吐出素子）１５３を千鳥でマトリクス状に（２次元的に）配置させた構造を有し、これにより、ヘッド長手方向（記録媒体２４の搬送方向と直交する方向；主走査方向）に沿って並ぶように投影される実質的なノズル間隔（投影ノズルピッチ）の高密度化を達成している。
【００７６】
各ノズル１５１に対応して設けられている圧力室１５２は、その平面形状が概略正方形となっており、対角線上の両隅部の一方にノズル１５１が設けられ、他方に供給口１５４が設けられている。なお、圧力室１５２の形状は、本例に限定されず、平面形状が四角形（菱形、長方形など）、五角形、六角形その他の多角形、円形、楕円形など、多様な形態があり得る。
【００７７】
かかる構造を有するインク室ユニット１５３を図５（ｂ）に示す如く、主走査方向に沿う行方向および主走査方向に対して直交しない一定の角度θを有する斜めの列方向に沿って一定の配列パターンで格子状に多数配列させることにより、本例の高密度ノズルヘッドが実現されている。
【００７８】
即ち、主走査方向に対してある角度θの方向に沿ってインク室ユニット１５３を一定のピッチｄで複数配列する構造により、主走査方向に並ぶように投影されたノズルのピッチＰはｄ×ｃｏｓθとなり、主走査方向については、各ノズル１５１が一定のピッチＰで直線状に配列されたものと等価的に取り扱うことができる。このような構成により、主走査方向に並ぶように投影されるノズル列が１インチ当たり２４００個（２４００ノズル／インチ）におよぶ高密度のノズル構成を実現することが可能になる。
【００７９】
＜ヘッドモジュール側面の構成＞
［第１実施形態］
次にヘッドモジュール側面の構成について説明する。図６（ａ）は、ヘッドモジュールの側面図であり、図６（ｂ）は側面の拡大図である。
【００８０】
図６に示すように、隣り合うヘッドモジュール７２−ｉと対向する側面２０２は撥水膜２０４が形成されている。本発明において撥水膜２０４とは、水の静的接触角が６０°以上の膜のことである。
【００８１】
撥水膜の成膜方法は、特に限定されず、撥水材料を塗布、乾燥することで成膜することができる。具体的には、後述する方法で成膜を行うことができる。
【００８２】
撥水膜の材料としては、フルオロカーボン系の撥水材料を用いることができる。
【００８３】
撥水膜の膜厚は、ヘッドモジュール７２−ｉ間の距離により決定される。ヘッドモジュール７２−ｉ間の距離（隙間）を狭くすることにより、インクがヘッドモジュール７２−
ｉ間に侵入することを防止することができる。ヘッドモジュール７２−ｉ間の距離が大きくなると、隙間部を補正するようにノズルを配置しなくてはならないため、許容できるヘッドモジュール間距離は、ノズル間距離の２／３以下である。例えば、１２００ｄｐｉの高密度ヘッドの場合、最低ノズル間距離は、３００μｍであるため、許容できるモジュール間距離は２００μｍ以下であり、好ましくは１００μｍ以下とすることが好ましい。したがって、撥水膜は、１００μｍより更に薄いことが好ましく、ヘッドモジュールの両側に形成されるため、モジュール間距離の１／２以下である５０μｍ以下とすることが好ましく、さらに、１／６以下とすることが好ましい。
【００８４】
また、膜厚は、撥水膜の最も厚い部分での膜厚により判断する。膜厚の最も厚い部分において、隣り合うヘッドモジュールに成膜された撥水膜と接し、撥水膜が剥離する可能性があるからである。
【００８５】
したがって、撥水膜は膜厚が均一になるように形成することが好ましい。膜厚が均一になるように形成することで、対向するヘッドモジュールに成膜された撥水膜と接触することを防止することができ、耐水性が劣化することを防止することができる。
【００８６】
このように、撥水膜は薄膜で、膜厚を均一に形成する必要があるので、撥水膜の形成に用いられる撥水材料の粘度を低くすることが好ましい。撥水材料の粘度を低くすることで、撥水材料を塗布した際、濡れ拡がり易くなり、薄膜で均一な膜を成膜することができる。
【００８７】
撥水材料の粘度の調整は、樹脂の濃度を調整することで行うことができる。撥水材料の粘度は、１ｍＰａ・ｓ以上１００ｍＰａ・ｓ以下とすることが好ましい。撥水材料の粘度を上記範囲とすることにより、ヘッドモジュール側面２０２に撥水材料を塗布した際に流動性を有するため、均一の膜厚の撥水膜２０４を成膜することができる。
【００８８】
また、ヘッドモジュールの側面２０２のノズル面側の端部には、ノズル面７２Ａと平行に溝２０６が形成されている。ヘッドモジュール側面２０２の端部に溝２０６を形成することにより、上述した撥水材料を側面２０２に塗布した際に、撥水材料がノズル面７２Ａに流れ出ることを防止することができる。なお、溝２０６は、ノズル面７２Ａと平行に形成されていることに限定されず、ノズル面７２Ａ側に撥水材料が流れ出さなければよく、ノズル面７２Ａに沿って形成されている。ノズル面７２Ａは、インクがノズル面７２Ａに付着し、吐出不良、記録媒体への落下を防止するため、撥水膜が形成されている。しかしながら、側面２０２の撥水膜を形成するための撥水材料がノズル面７２Ａに流れ込んだ撥水材料は、下地膜と結合していないため、メンテナンス時のワイプにより容易に剥離してしまい、ノズル詰まりの原因となる。したがって、側面２０２の撥水膜２０４を形成するための撥水材料は、ノズル面７２Ａに付着しないように製造することが好ましい。
【００８９】
ノズル面側の端部から溝２０６までの領域は、撥水膜が成膜されないため、ノズル面側の端部から溝２０６までの距離は短くすることが好ましく、溝２０６の加工性を考慮して、１ｍｍ以下とすることが好ましい。
【００９０】
溝２０６の断面形状は特に限定されず、正方形、長方形、半円形など、様々な形状とすることができる。また、溝２０６の大きさは、撥水材料を付与した際に余剰の撥水材料を流すことができれば特に限定されないが、例えば、幅５００μｍ、深さ５００μｍの正方形の形状とすることができる。
【００９１】
溝２０６は、ノズル面７２Ａへの撥水材料の流れ出しを防止するため、少なくともノズル面７２Ａと対応するヘッドモジュール側面に設けることが好ましい。また、溝２０６は
、余剰の撥水材料が流れ込むため、この余剰の撥水材料を排出するため、溝２０６の少なくとも片方の端部が、開放され、切り欠き部となっていることが好ましい。この切欠き部は、撥水膜成膜時には、廃棄用の容器につなげられている。
【００９２】
また、溝２０６を有することにより、撥水材料のノズル面への流れ出しを防止するのみでなく、撥水材料の塗布液の厚さを均一にすることができる。粘度の低い塗布液を用いることにより、余剰の塗布液は溝２０６に流れ出すため、結果的に塗布液が均一な膜を形成することができ、均一な膜厚の撥水膜を成膜することができる。撥水膜の表面粗さＲａは、１０ｎｍ以下であることが好ましい。なお、溝２０６内は、余剰の撥水材料が流れ込むため、撥水性となっている。
【００９３】
≪第２実施形態≫
図７（ａ）は、第２実施形態に係るヘッドモジュール３７２−ｉの側面図、図７（ｂ）は側面の拡大図である。第２実施形態に係るヘッドモジュール３７２−ｉは、側面３０２にさらに、溝３０６とは別に、さらに、複数の排出溝３０８を設けている点が、第１実施形態に係るヘッドモジュール７２−ｉと異なっている。
【００９４】
第２実施形態にかかるヘッドモジュール３７２−ｉによれば、溝３０６を備えることにより、第１実施形態と同様に、ノズル面に撥水材料が流れ出ることを防止することができる。さらに、複数の排出溝３０８を備えているので、ヘッドモジュール側面３０２に付与した撥水材料の塗布液を排出溝３０８に流すことができるので、より撥水膜の膜厚を均一にすることができるともに、より薄い膜を成膜することができる。排出溝３０８の構造としては、溝２０６、３０６と同様の構成とすることができる。ただし、幅方向の長さについては、特に限定されず、形成することができる。
【００９５】
撥水膜３０４の膜厚を均一化することにより、隣り合う対向するヘッドモジュール３７２−ｉ同士の撥水膜３０４が接触することを防止することができる。したがって、ヘッドモジュール交換時に、他方の交換しなくてもよいヘッドモジュールの撥水膜が接触により劣化することを防止することができる。
【００９６】
また、撥水膜３０４の表面を均一化することにより、表面の凹凸が平坦化し、動的撥水性（滑落性）を向上させることができる。動的撥水性（滑落性）とは、液滴の流れ易さであり、表面性の影響を強く受ける。凹凸があると凸部におけるピニング効果により動的撥水性（滑落性）が悪くなる。撥水膜の動的撥水性（滑落性）が悪いと、仮にミスト状のインク液滴が撥水膜上に浸入した場合、接触角を保持したまま乾燥増粘固化することが考えられる。したがって、インク垂れ、固化物剥離の発生の原因になると考えられる。動的撥水性（滑落性）を向上させることにより、ミスト状のインク液滴が撥水膜上に浸入してきても、撥水膜上で移動、または、複数のミスト状の液滴が集まり、大きな液滴となり、撥水膜上を移動させることができるので、撥水膜上にインク液滴が残存することを防止することができる。したがって、撥水膜表面は平坦化することが好ましく、表面粗さＲａは、１０ｎｍ以下であることが好ましく、第１実施形態のヘッドモジュール７２−ｉよりもさらに平坦化した撥水膜を成膜することができる。
【００９７】
＜撥水膜の成膜方法＞
次に撥水膜の成膜方法について説明する。なお、以下に記載の製造方法は一例であり、本発明はこれに限定されない。撥水膜は上述したように、膜厚の薄い膜で、均一に形成することが好ましい。
【００９８】
ヘッドモジュールとしては、例えば、高密度ノズル、高密度流路構造のノズルプレートがあり、さらに高密度圧電体および駆動用電極配線が形成された基板が隣接して配置され
たシリコン基板にエポキシ樹脂材料による流路部材が接着されたヘッド筐体からなるヘッドモジュールを使用する。このヘッドモジュールに、以下の材料、方法により、側面への撥水処理を行った。
【００９９】
〔撥水材料塗布工程〕
撥水材料としては、溶剤型フッ素系撥水材料（主成分：フルオロカーボン）（商品名ダイキン製オプツール、エフトーンなど）を樹脂分濃度１０、２０、３０、４０％の４種類の濃度で行った。塗布は、ロータリーチュービングディスペンサー（ムサシエンジニアリング製）を用いて行った。本ディスペンサーは、テフロン（登録商標）チューブを外部からローラ押し圧かけることで、液体を順次送り出すことができる。したがって、低粘度の液体を塗布する場合に、液量の制御を容易に行うことができる。
【０１００】
本ディスペンサーで塗布する際は、チューブ先端をモジュール側面に近接配置し、液滴面の先端部が常にモジュール側面に接触させながら、チューブを移動させていく。これにより、撥水材料を均一に塗布することができる。
【０１０１】
〔膜厚均一化工程〕
次に塗布した撥水材料の膜厚の均一化を行う。膜厚の均一化は、粘度の低い材料を用い、放置することで行う。粘度の低い材料を用いることで、撥水材料塗布工程後、側面に濡れ広がるため、膜厚を均一にすることができる。
【０１０２】
図８に樹脂分濃度と平均塗布膜厚との関係を示す。図８に示すように、樹脂分濃度が低くなるにつれ、液体粘度が低くなるため、塗布膜が薄くなり、高くなるにつれ、液体粘度が高くなるため、塗布膜も厚くなる。
【０１０３】
塗布膜厚は、例えば、ヘッドの隙間仕様を１５０μｍと想定した場合、目標塗布膜厚はＭａｘ２０μｍ以下と設定する。膜厚バラツキによる対向面干渉防止の観点から平均膜厚はさらに薄くする必要がある。目標塗布膜厚をＭａｘ２０μｍと設定した場合、図８より、使用可能な撥水剤濃度が２０％以下と決まり、低粘度の撥水剤しか使用できなくなる。
【０１０４】
樹脂分濃度２０％の撥水剤を使用した場合、粘度は水に近くなるため、塗布後に側面に濡れ広がる現象が見られた。図６に示す第１実施形態のヘッドモジュール７２−ｉを用いた場合においては、ヘッドモジュール側面２０２に塗布した撥水材料が濡れ広がるが、余剰の撥水材料は溝２０６に流れ込むため、ノズル面７２Ａに流れ出ることを防止することができる。
【０１０５】
また、図７に示す第２実施形態のヘッドモジュール３７２−ｉを用いた場合においては、第１実施形態のヘッドモジュールと同様に、撥水材料がノズル面３７２Ａに流れ出ることを防止することができる。また、第２実施形態のヘッドモジュール３７２−ｉは、複数の排出溝３０８を有しているので、余剰の撥水材料を排出溝３０８に流れ込ませることができるので、撥水膜３０４を、より均一の膜厚出形成することができる。
【０１０６】
しかしながら、側面に溝を有しないヘッドモジュールを使用した場合は、最も撥水処理を行いたいノズル面側端部近傍に塗布する際には、ノズル面側に流れ出す部分があった。高い粘度の液体、例えば、樹脂分濃度４０％の場合では、このようなノズル面への流れ出し現象は抑えることができたが、膜厚のムラ、不均一性が明らかに見られた。ノズル面に撥水剤が流れた場合は、下地と化学結合して撥水膜が形成されているわけではなく、単に表面上に乾燥固化しているのみであるので、ノズル面のワイプにより撥水膜の樹脂成分がノズルを詰まらせる原因となるので、ノズル面への流れ出しを防止する必要がある。
【０１０７】
〔撥水膜形成工程〕
その後、側面撥水処理の乾燥固化は室温で大気中に２４時間放置し乾燥を行った。
【実施例】
【０１０８】
（実施例１）
樹脂分濃度２０％の撥水剤を用いて、ヘッドモジュール側面のノズル面側に幅５００μｍ、深さ５００μｍの溝を形成したヘッドモジュールに、上記の方法で撥水膜の成膜を行った。撥水膜形成面の水による静的接触角の評価を行ったところ100°以上の接触角が得られていることが確認された。同様に動的撥水性の指標として水での滑落角を評価したところ30°以下の滑落角となっていることが確認された。溝はノズル面側の端部から１ｍｍの位置にノズル面と水平に形成した。樹脂分濃度２０％の撥水剤を用いても、余剰の撥水剤が溝に流れ込むため、撥水剤がノズル面に流れ出る流れ出し現象が生じなかった。
【０１０９】
（実施例２）
実施例１で用いたヘッドモジュールの側面に、複数の排出溝を設けたヘッドモジュールを用いて同様に撥水膜の成膜を行った。排出溝のサイズは、幅１ｍｍ、深さ１ｍｍとし、排出溝の間の距離は、１ｍｍとした。複数の排出溝を設けることで、余剰の撥水剤を溝に流すことができるので、ノズル面への流れ出しを防止することができるのみでなく、撥水膜の膜厚の均一性を良化させることができた。
【０１１０】
粘度が低いために、撥水剤が濡れ広がり易くなるため、薄く均一な膜を形成することができる。さらに、複数の溝を設けることで、余剰分を溝に流すことができるので、余剰分が非溝部に留まることがないので、膜厚のばらつきを低減することができる。したがって、平均膜厚と最大膜厚を近づけることができるので、粘度を高めに設定しても撥水膜の成膜を行うことができる。撥水膜は、対向するヘッドモジュールの撥水膜と接することで、剥離することが懸念されるため、膜厚が均一でない場合には、最大膜厚に合わせて撥水膜の成膜を設計する必要がある。撥水膜の膜厚を均一にすることで、撥水膜全域で撥水膜の撥水性を確保して成膜することができる。
【０１１１】
〔評価〕
側面撥水処理を行ったヘッドモジュールを連接したラインヘッドを用いて、吐出およびワイプメンテナンスの繰り返し評価を行った。また、側面撥水処理を行っていないヘッドモジュールを比較例として用いた。評価は、吐出およびワイプメンテナンス後のモジュール間の隙間へのインク侵入状況を目視により観察した。
【０１１２】
インクの吐出駆動条件は、顔料インクを用い、駆動用圧電体の駆動電圧３０Ｖ、周波数１００ｋＨｚとした。なお、０．５億ｄｏｔごとにワイピング操作によるノズル面の洗浄メンテナンスを行なった。１０億ｄｏｔの連続印字ワイプの後に、仕上げワイピングを行い、ヘッドモジュール間の隙間のインクを観察した。また、比較例として、側面撥水未処理のヘッドモジュールについても同様の試験を行った。比較例では、明確にインクが入り込んでいるのに対し、側面撥水処理をした実施例では、インクの入り込みが全く確認されなかった。ヘッドモジュールを個別に取り出して側面部の観察を行っても同様の結果であった。
【符号の説明】
【０１１３】
１０…インクジェット記録装置、１２…給紙部、１４…処理液付与部、１６…描画部、１８…乾燥部、２０…定着部、２２…排出部、２４…記録媒体、７０…描画ドラム、７２…インクジェットヘッド、７２Ａ、３７２Ａ…ノズル面、７２−ｉ、３７２−ｉ…ヘッドモジュール、２０２、３０２…ヘッドモジュール側面、２０４、３０４…撥水膜、２０６、３０６…溝、３０８…排出溝
【図１】
2014069419.tif 000003
【図２】
2014069419.tif 000004
【図３】
2014069419.tif 000005
【図４】
2014069419.tif 000006
【図５】
2014069419.tif 000007
【図６】
2014069419.tif 000008
【図７】
2014069419.tif 000009
【図８】
2014069419.tif 000010